(57)【特許請求の範囲】
【請求項１】
複数のノード装置を含み、データを中継する光交換ネットワークと、制御装置と、を有するシステムにおけるデータ転送方法であって、
前記中継するデータを受信した前記光交換ネットワークの第１のノード装置が、該データの宛先を示す情報を含む要求信号を前記制御装置に送信するステップと、
前記制御装置が、前記データの中継経路を決定するステップと、
前記制御装置が、前記中継経路上にある前記第１のノード装置以外の第２のノード装置のそれぞれに、入力ポート及び出力ポートを示す情報を含む設定信号を送信するステップと、
前記第２のノード装置のそれぞれが、前記設定信号で示された入力ポートに入力される第１の波長の信号を前記設定信号で示された出力ポートから出力する設定を行って、前記制御装置に完了信号を送信するステップと、
前記制御装置が前記第２のノード装置の総てから前記完了信号を受信すると、前記第１の波長とは異なる第２の波長と、出力ポートと、を示す情報を含む開始信号を前記第１のノード装置に送信するステップと、
前記第１のノード装置が前記制御装置から前記開始信号を受信すると、前記データの宛先を示す情報を含む制御パケットを、前記開始信号で示された出力ポートから前記第１の波長で送信し、前記制御パケットの送信から所定の時間後に、前記データを前記開始信号で示された出力ポートから前記第２の波長で送信するステップと、
を含むことを特徴とする方法。
【請求項２】
前記第１の波長は、予め決められた波長である、
ことを特徴とする請求項１に記載の方法。
【請求項３】
前記制御装置が前記第１の波長を決定し、前記設定信号で前記第１の波長を前記第２のノード装置に通知し、前記開始信号で前記第１の波長を前記第１のノード装置に通知する、
ことを特徴とする請求項１に記載の方法。
【請求項４】
前記中継経路上の最後にある第２のノード装置は、前記データを受信後、前記制御装置に受信完了信号を送信し、
前記制御装置は、前記受信完了信号を受信すると、前記第２のノード装置のそれぞれに、前記第１の波長の信号を前記設定信号で示された出力ポートから出力する設定を解放させる解放信号を送信する、
ことを特徴とする請求項１から３のいずれか１項に記載の方法。
【請求項５】
前記第１のノード装置は、前記制御パケットに前記第２の波長を示す情報を含め、
前記第２のノード装置のそれぞれは、前記制御パケットを受信後に受信する前記データに使用されている前記第２の波長を、前記制御パケットに含まれる前記情報から判定して、前記データを前記設定信号で示された出力ポートから出力する、
ことを特徴とする請求項１から４のいずれか１項に記載の方法。
【請求項６】
前記制御装置は、前記設定信号に前記第２の波長を示す情報を含め、
前記第２のノード装置のそれぞれは、前記設定信号で示された入力ポートに入力される前記第２の波長の信号を前記設定信号で示された出力ポートから出力する設定を行って、前記制御装置に前記完了信号を送信する、
ことを特徴とする請求項１から４のいずれか１項に記載の方法。
【請求項７】
前記システムは、第１の光交換ネットワークと、第２の光交換ネットワークと、前記第１の光交換ネットワークと前記第２の光交換ネットワーク間の中継を行う波長交換ネットワークとを含み、
前記データの中継経路が、前記第１の光交換ネットワークから、前記波長交換ネットワークを経由して前記第２の光交換ネットワークに至るものである場合、前記制御装置は、前記中継経路上の前記波長交換ネットワークと前記第１の光交換ネットワークの両方に接続する第３のノード装置と、前記中継経路上の前記波長交換ネットワークと前記第２の光交換ネットワークの両方に接続する第４のノード装置との間に、前記第１の波長の波長パスと、前記第２の波長の波長パスを同一経路で設定する様に、前記波長交換ネットワークの装置を制御する、
ことを特徴とする請求項１から６のいずれか１項に記載の方法。
【請求項８】
データを中継する光交換ネットワークと、制御装置と、を有するシステムにおける前記光交換ネットワークのノード装置であって、
前記中継するデータを受信すると、該データの宛先を示す情報を含む要求信号を前記制御装置に送信する第１の手段と、
前記制御装置から前記要求信号の応答として、制御パケットに使用する第１の波長とは異なる第２の波長と、出力ポートとを示す情報を含む開始信号を受信すると、前記データの宛先を示す情報を含む制御パケットを、前記開始信号で示された出力ポートから前記第１の波長で送信し、前記制御パケットの送信から所定の時間後に、前記データを、前記開始信号で示された出力ポートから前記第２の波長で送信する第２の手段と、
を備えていることを特徴とするノード装置。
【請求項９】
前記第２の手段は、前記データの送信に使用する前記第２の波長を、前記データの中継経路上のノード装置に通知するため、前記制御パケットに前記第２の波長を示す情報を含める、
ことを特徴とする請求項８に記載のノード装置。
【請求項１０】
前記制御装置から入力ポート及び出力ポートを示す情報を含む設定信号を受信すると、前記設定信号で示された入力ポートに入力される前記第１の波長の信号を前記設定信号で示された出力ポートから出力する設定を行って、前記制御装置に完了信号を送信する第３の手段をさらに備えている、
ことを特徴とする請求項８又は９に記載のノード装置。
【請求項１１】
前記設定信号には前記第２の波長を示す情報が含まれており、
前記第３の手段は、前記設定信号で示された入力ポートに入力される前記第２の波長の信号を前記設定信号で示された出力ポートから出力する設定を行って、前記制御装置に前記完了信号を送信する、
ことを特徴とする請求項１０に記載のノード装置。
【請求項１２】
複数のノード装置を含み、データを中継する光交換ネットワークの制御装置であって、
前記中継するデータを受信した前記光交換ネットワークの第１のノード装置から、該データの宛先を示す情報を含む要求信号を受信すると、前記データの中継経路を決定する第１の手段と、
前記中継経路上にある前記第１のノード装置以外の第２のノード装置のそれぞれに、入力ポート及び出力ポートを示す情報を含む設定信号を送信する第２の手段と、
前記第２のノード装置の総てから、前記設定信号で示した入力ポートに入力される第１の波長の信号を前記設定信号で示した出力ポートから出力する設定を行ったことを示す完了信号を受信すると、前記第１の波長とは異なる第２の波長と、出力ポートとを示す情報を含む開始信号を前記第１のノード装置に送信する第３の手段と、
を備えていることを特徴とする制御装置。
【請求項１３】
前記第１の波長を決定する手段をさらに備えており、
前記第２の手段は、前記設定信号で前記第１の波長を前記第２のノード装置に通知し、
前記第３の手段は、前記開始信号で前記第１の波長を前記第１のノード装置に通知する、
ことを特徴とする請求項１２に記載の制御装置。
【請求項１４】
前記システムは、第１の光交換ネットワークと、第２の光交換ネットワークと、前記第１の光交換ネットワークと前記第２の光交換ネットワーク間の中継を行う波長交換ネットワークとを含み、
前記制御装置は、前記データの中継経路が、前記第１の光交換ネットワークから、前記波長交換ネットワークを経由して前記第２の光交換ネットワークに至るものである場合、前記中継経路上の前記波長交換ネットワークと前記第１の光バースト交換ネットワークの両方に接続する第３のノード装置と、前記中継経路上の前記波長交換ネットワークと前記第２の光交換ネットワークの両方に接続する第４のノード装置との間に、前記第１の波長の波長パスと、前記第２の波長の波長パスを同一経路で設定する様に、前記波長交換ネットワークの装置を制御する、
ことを特徴とする請求項１２又は１３に記載の制御装置。
【発明の詳細な説明】
【技術分野】
【０００１】
本発明は、光バースト交換を行うネットワーク等の光交換ネットワークに関し、より詳しくは、光交換ネットワークにおけるデータ転送技術に関する。
【背景技術】
【０００２】
非特許文献１は、波長パスを設定するネットワークであるＷＳＯＮ（Ｗａｖｅｌｅｎｇｔｈ  Ｓｗｉｔｃｈｅｄ  Ｏｐｔｉｃａｌ  Ｎｅｔｗｏｒｋ）に対するオープンフロー（ＯｐｅｎＦｌｏｗ）技術の適用を開示している。ここで、オープンフロー技術とは、非特許文献１に記載されている様に、パケットのルーティング又はスイッチを行うノード装置と、パケットの経路を決定する制御装置を分離したネットワーク技術をいう。なお、オープンフロー・ネットワークにおいて、フローとは例えば、ＶＬＡＮ（Ｖｉｒｔｕａｌ  ＬＡＮ）ＩＤ、イーサネット（登録商標）等のレイヤ２の送信元アドレス、レイヤ２の送信先アドレス、ＩＰ等のレイヤ３の送信元アドレス、レイヤ３の送信先アドレス、ＴＣＰ等のレイヤ４の送信元ポート番号、レイヤ４の送信先ポート番号のいずれか、又は、それらの任意の組み合わせにより特定される。
【０００３】
ノード装置は、フローと、当該フローに属するパケットの出力先となる物理ポートとの関係を示すフロー・テーブルを保持しており、パケットを受信すると、フロー・テーブルに基づき決定した物理ポートに当該パケットを出力する。ここで、ノード装置が、フロー・テーブルに示されたいずれのフローにも属さないパケットを受信すると、当該ノード装置は、受信したパケットを制御装置に送信する。制御装置は、オープンフロー・ネットワークの各ノード装置と、その接続関係に関する情報を保持しており、受信したパケットに基づき当該パケットが属するフローの経路を決定し、決定した経路を当該パケットが転送される様に、関係するノード装置のフロー・テーブルを更新させる。つまり、受信したパケットが属するフローと、当該フローに属するパケットの出力先となる物理ポートとの関係を、関係する各ノード装置に通知する。
【０００４】
非特許文献１においては、波長パスへの適用のため、光ＡＤＭ（Ａｄｄ−Ｄｒｏｐ  ＭＵＸ）や、波長クロスコネクト装置における接続の単位である波長パスにより各フローの経路を決定し、決定した経路の波長パスを設定するようにしている。
【０００５】
また、非特許文献２に記載されている様に、現在、送信すべきデータがある場合、当該データの伝送に必要な時間だけ、当該データにある波長を割り当て、当該データを、割り当てられた波長の光バースト信号として送信する、光バースト交換（ＯＢＳ：Ｏｐｔｉｃａｌ  Ｂｕｒｓｔ  Ｓｗｉｔｃｈｉｎｇ）ネットワークについて提案がされている。
【先行技術文献】
【非特許文献】
【０００６】
【非特許文献１】Ｌｅｉ  Ｌｉｕ，  ｅｔ  ａｌ．，  "ＯｐｅｎＦｌｏｗ−ｂａｓｅｄ  Ｗａｖｅｌｅｎｇｔｈ  Ｐａｔｈ  Ｃｏｎｔｒｏｌ  ｉｎ  Ｔｒａｎｓｐａｒｅｎｔ  Ｏｐｔｉｃａｌ  Ｎｅｔｗｏｒｋｓ：  ａ  Ｐｒｏｏｆ−ｏｆ−Ｃｏｎｃｅｐｔ  Ｄｅｍｏｎｓｔｒａｔｉｏｎ，"  ＥＣＯＣ２０１１  ２０１１年９月
【非特許文献２】Ｌｅｉ  Ｌｉｕ，  ｅｔ  ａｌ．，  "Ｄｙｎａｍｉｃ  ｐｒｏｖｉｓｉｏｎｉｎｇ  ｏｆ  ｓｅｌｆ−ｏｒｇａｎｉｚｅｄ  ｃｏｎｓｕｍｅｒ  Ｇｒｉｄ  ｓｅｒｖｉｃｅｓ  ｏｖｅｒ  ｉｎｔｅｇｒａｔｅｄ  ＯＢＳ／ＷＳＯＮ  ｎｅｔｗｏｒｋｓ，"  ＩＥＥＥ／ＯＳＡ  Ｊｏｕｒｎａｌ  ｏｆ  Ｌｉｇｈｔｗａｖｅ  Ｔｅｃｈｎｏｌｏｇｙ  ２０１１年１２月
【発明の概要】
【発明が解決しようとする課題】
【０００７】
非特許文献２によると、ＷＳＯＮとＯＢＳネットワークの相互接続のため、ＧＭＰＬＳ（Ｇｅｎｅｒａｌａｉｚｅｄ  Ｍｕｌｔｉ−Ｐｒｏｔｏｃｏｌ  Ｌａｂｅｌ  Ｓｗｉｔｃｈｉｎｇ）技術に従う、ＷＳＯＮ用の制御装置と、ＯＢＳネットワーク用の制御装置を個別に設けている。
【０００８】
本発明は、従来技術より簡易な構成で経路を決定してデータの転送を行うことができる光交換ネットワークにおけるデータ転送方法と、当該光交換ネットワークの制御装置及びノード装置を提供するものである。
【課題を解決するための手段】
【０００９】
本発明の一側面によると、複数のノード装置を含み、データを中継する光交換ネットワークと、制御装置と、を有するシステムにおけるデータ転送方法であって、前記中継するデータを受信した前記光交換ネットワークの第１のノード装置が、該データの宛先を示す情報を含む要求信号を前記制御装置に送信するステップと、前記制御装置が、前記データの中継経路を決定するステップと、前記制御装置が、前記中継経路上にある前記第１のノード装置以外の第２のノード装置のそれぞれに、入力ポート及び出力ポートを示す情報を含む設定信号を送信するステップと、前記第２のノード装置のそれぞれが、前記設定信号で示された入力ポートに入力される第１の波長の信号を前記設定信号で示された出力ポートから出力する設定を行って、前記制御装置に完了信号を送信するステップと、前記制御装置が前記第２のノード装置の総てから前記完了信号を受信すると、前記第１の波長とは異なる第２の波長と、出力ポートと、を示す情報を含む開始信号を前記第１のノード装置に送信するステップと、前記第１のノード装置が前記制御装置から前記開始信号を受信すると、前記データの宛先を示す情報を含む制御パケットを、前記開始信号で示された出力ポートから前記第１の波長で送信し、前記制御パケットの送信から所定の時間後に、前記データを前記開始信号で示された出力ポートから前記第２の波長で送信するステップと、を含むことを特徴とする。
【００１０】
また、本発明の一側面によると、データを中継する光交換ネットワークと、制御装置と、を有するシステムにおける前記光交換ネットワークのノード装置であって、前記中継するデータを受信すると、該データの宛先を示す情報を含む要求信号を前記制御装置に送信する第１の手段と、前記制御装置から前記要求信号の応答として、制御パケットに使用する第１の波長とは異なる第２の波長と、出力ポートとを示す情報を含む開始信号を受信すると、前記データの宛先を示す情報を含む制御パケットを、前記開始信号で示された出力ポートから前記第１の波長で送信し、前記制御パケットの送信から所定の時間後に、前記データを、前記開始信号で示された出力ポートから前記第２の波長で送信する第２の手段と、を備えていることを特徴とする。
【００１１】
さらに、本発明の一側面によると、複数のノード装置を含み、データを中継する光交換ネットワークの制御装置であって、前記中継するデータを受信した前記光交換ネットワークの第１のノード装置から、該データの宛先を示す情報を含む要求信号を受信すると、前記データの中継経路を決定する第１の手段と、前記中継経路上にある前記第１のノード装置以外の第２のノード装置のそれぞれに、入力ポート及び出力ポートを示す情報を含む設定信号を送信する第２の手段と、前記第２のノード装置の総てから、前記設定信号で示した入力ポートに入力される第１の波長の信号を前記設定信号で示した出力ポートから出力する設定を行ったことを示す完了信号を受信すると、前記第１の波長とは異なる第２の波長と、出力ポートとを示す情報を含む開始信号を前記第１のノード装置に送信する第３の手段と、を備えていることを特徴とする。
【発明の効果】
【００１２】
制御装置が経路を決定して第２のノード装置に少なくとも制御パケットを交換するための設定を行う。その後、データに使用する波長及びその出力ポートを、第１のノード装置に通知することで、第１のノード装置はデータの送信開始を行う。以上の構成により、従来の構成と比較して、より簡易な構成で経路を決定してデータ転送を行うことができる。
【図面の簡単な説明】
【００１３】
【図１】一実施形態による光交換ネットワークの概略的な構成図。
【図２】一実施形態によるデータ転送のシーケンス図。
【図３】一実施形態による光バースト交換を行うエッジ・ノードの概略的な構成図。
【図４】一実施形態による光バースト交換を行うコア・ノードの概略的な構成図。
【発明を実施するための形態】
【００１４】
（第一実施形態）図１は、本実施形態における例示的な光通信システムの概略的な構成図である。なお、以下の各図において、実施形態の理解に必要ではない構成要素については、簡略化のため各図面から省略する。図１において、光バースト交換（ＯＢＳ）ネットワーク１及び２が、共に、波長パスを設定する波長交換ネットワークであるＷＳＯＮ３に接続している。また、制御装置４が、ＯＢＳネットワーク１及び２と、ＷＳＯＮ３の各ノード装置を制御するために設けられている。
【００１５】
ここで、ＷＳＯＮ３は、制御装置４の制御のもと波長パスの設定及び解放を行うネットワークであり、例えば、光クロスコネクト装置や、波長クロスコネクト装置等で構成される。一方、ＯＢＳネットワーク１及び２は、光バースト交換を行うネットワークであり、エッジ・ノード（ＥＮ）とコア・ノード（ＣＮ）で構成される。例えば、図１においては、ＯＢＳネットワーク１のＥＮ１１及びＣＮ１２と、ＯＢＳネットワーク２のＥＮ２１及びＣＮ２２が示されている。なお、説明の目的でＥＮ及びＣＮを区別するが、ＥＮ及びＣＮは同じ装置とすることができる。つまり、例えば、ＥＮ１１が直接ＷＳＯＮ３と接続する構成であっても良い。
【００１６】
ＯＢＳネットワーク１及び２と、ＷＳＯＮ３は、例えば、図示しないＩＰネットワークのためにデータ、つまり、ＩＰパケットの中継を行う。具体的には、ＥＮ１１及び２１は、図示しないＩＰネットワーク等に接続し、ＥＮ１１が、接続しているＩＰネットワークから、ＥＮ２１と接続しているＩＰネットワークに送信するＩＰパケットを受信した場合、ＥＮ１１は、受信したＩＰパケットを光バースト信号に変換して、ＥＮ２１に向けて送信する。なお、ＥＮ１１及び２１は、光バースト信号の送信に先立ち、ＢＨＰ（Ｂｕｒｓｔ  Ｈｅａｄｅｒ  Ｐａｃｋｅｔ）と呼ばれる制御パケットを生成して、制御パケットに割り当てられた波長で、光バースト信号を送信するのと同一経路に送信する。制御パケットには、光バースト信号の宛先情報及び光バースト信号が使用する波長情報が含まれている。ＯＢＳネットワーク１及び２の各ノードは、まず、制御パケットを受信し、この制御パケットに基づき、後続する光バースト信号が使用する波長を判定して光バースト信号の交換を行う。
【００１７】
また、ＣＮ１１及びＣＮ２１は、ＷＳＯＮ３とＯＢＳネットワークとの両方に接続し、ＷＳＯＮ３が設定する波長パスの終端点となる装置であり、ＷＳＯＮ３とＯＢＳネットワークの中継装置として機能する。なお、ＥＮ１１とＣＮ１２との間や、ＥＮ２１とＣＮ２２との間には複数のコア・ノードが存在し得る。
【００１８】
以下、図１のＥＮ１１が、ＥＮ２１と接続するＩＰネットワークに送信すべきＩＰパケットを受信した場合において、このＩＰパケットのデータ転送について図２を用いて説明する。なお、図１の制御装置４は、ＯＢＳネットワーク１及び２と、ＷＳＯＮ３の各ノード装置の機能と、接続関係と、現在の各光リンクの利用状況についての情報を保持しているものとする。つまり、データの送信元と送信先のノード装置が与えられたときに、このデータの転送経路と、使用すべき波長を決定できるものとする。
【００１９】
Ｓ１において、ＥＮ１１は、ＥＮ２１と接続するＩＰネットワークに送信すべきＩＰパケットを受信すると、ＥＮ１１は、Ｓ２において、要求信号を、制御装置４に送信する。要求信号は、フローを特定するための宛先を示す情報、例えば、ＩＰパケットの送信先アドレス、送信元アドレス、ＴＣＰの送信先ポート番号、送信元ポート番号等を含んでいる。
【００２０】
制御装置４は、要求信号を受信すると、Ｓ３において、要求信号に含まれる情報から当該フローの転送経路と、制御パケットのための第１の波長と、光バースト信号のための第２の波長を決定するものとする。なお、制御パケットの経路と、光バースト信号のための経路は、ＷＳＯＮ３においても同一とする。ここでは、本例においては、図１のＣＮ１２、ＷＳＯＮ３及びＣＮ２２を経由してＥＮ２１に至る経路に決定したものとする。
【００２１】
制御装置４は、ＥＮ１１を除く、Ｓ３において決定した経路上の各ノード装置に対して、設定信号をＳ４において送信する。なお、図１及び図２においては、簡略化のため、ＷＳＯＮ３内の個々の装置を示していないが、実際にはＣＮ１２とＣＮ２２とを接続する波長パスをＷＳＯＮ３が設定するための、ＷＳＯＮ３内の各装置に設定信号が送信される。なお、ＯＢＳネットワーク１及び２の各ノード装置に通知される設定信号は、入力光ポートと、出力光ポートと、制御パケット用の第１の波長を示す情報を含んでいる。また、ＷＳＯＮ３内の各装置に通知される設定信号は、制御パケット用の第１の波長及び光バースト信号用の第２の波長と、それらの入力ポートと出力ポートとを示す情報を含んでいる。なお、制御パケットと光バースト信号の入力ポート及び出力ポートは同じである。
【００２２】
Ｓ４において、設定信号を受信した各ノード装置は、指定された光ポート間において指定された光波長を交換又は接続する設定を行い、設定が完了すると完了信号を制御装置４に送信する。具体的には、ＯＢＳネットワーク１及び２の各ノード装置は、設定信号で指定された入力ポートで受信する第１の波長の光信号を、設定信号で指定された出力ポートから出力する設定を行うと完了信号を制御装置４に送信する。ＷＳＯＮ３の各ノードは、第１の波長の波長パスと、第２の波長の波長パスを指定された入力ポートと出力ポート間で交換する設定を行うと完了信号を制御装置４に送信する。制御装置４は、設定信号を通知した総てのノード装置から完了信号を受信すると（Ｓ５）、Ｓ６において、要求メッセージを送信したＥＮ１１に対して開始信号を送信する。
【００２３】
ここで、ＥＮ１１に対して送信する開始信号は、制御パケット及び光バースト信号を出力する光ポートと、制御パケット及び光バースト信号それぞれに使用する第１の波長及び第２の波長を示す情報を含んでいる。ＥＮ１１は、開始信号を受信すると、それをトリガとして、Ｓ７において、送信処理を開始する。具体的には、まず、受信した開始信号に基づき、光バースト信号が使用する第２の波長を示す情報を含む制御パケットを生成し、生成した制御パケットを、開始信号で指定された第１の波長の光信号に変換し、開始信号で指定された光ポートに出力する。その後、受信したＩＰパケットから、開始信号で指定された第２の波長の光バースト信号を生成し、制御パケットの送信後、所定の時間が経過すると、生成した光バースト信号を開始信号で指定された光ポートに出力する。
【００２４】
ＣＮ１２は、ＥＮ１１から第１の波長の制御パケット信号をまず受信するが、ＣＮ１２は、この光信号を、例えば、２分岐して、一方の光信号についてはそのまま指定された出力ポートに出力し、他方の光信号については電気信号に変換して、制御パケット信号が示す光バースト信号の波長情報、つまり第２の波長を取得する。その後、ＣＮ１２は、制御パケット信号の入力ポートから出力ポートへの第２の波長の接続を行う。これにより、ＥＮ１１からの光バースト信号が、制御装置４が決定した経路に従う光ポートに出力される。
【００２５】
ＷＳＯＮ３内においては、制御パケット用の第１の波長パスと、光バースト信号用の第２の波長パスが同一経路で設定されており、制御パケット及び光バースト信号はそれぞれ専用の波長パスを転送される。その後、ＣＮ２２においては、ＣＮ１２を用いて説明したのと同様に、制御パケット及び光バースト信号は転送されて、制御パケット及び光バースト信号は、Ｓ８において、ＥＮ２１に到達する。ＥＮ２１は、受信する光バースト信号からＩＰパケットを生成して、ＥＮ２１に接続するＩＰネットワークに送信する。
【００２６】
ＥＮ２１は、光バースト信号を受信すると、Ｓ９において制御装置４に受信完了信号を送信し、制御装置４は、受信完了信号を受信すると、Ｓ１０において、経路内の各ノード装置に設定解放メッセージを送信し、これにより、経路内の各装置は、波長パスの設定を解放する。
【００２７】
図３は、ＥＮ１１の構成を示すブロック図である。なお、ＥＮ２１の構成も同様である。信号処理部１１１は、ＩＰネットワークと接続し、ＩＰネットワークから受信するＩＰパケットから光バースト信号を生成する処理と、光ＳＷ部１１２より受信する光バースト信号からＩＰパケットを生成してＩＰネットワークに送信する処理を行う。光ＳＷ部１１２は、フロー・テーブル処理部１１３の指示により波長パスの設定を行う。また、フロー・テーブル処理部１１３は、制御装置４との通信処理と、光ＳＷ部１１２における波長パスの設定状態を示すフロー・テーブルの管理を行う。さらに、制御パケット処理部１１４は、制御パケットの生成と、光信号への変換処理を行う。
【００２８】
例えば、信号処理部１１１が、新たなフローに属する１つ以上のＩＰパケットを受信すると、これらのＩＰパケットから得られるアドレス等の情報をフロー・テーブル処理部に通知し、フロー・テーブル処理部１１３は、制御装置４に対して要求信号を送信する。フロー・テーブル処理部１１３は、制御装置４から、要求信号の応答として開始信号を受信すると、開始信号を制御パケット処理部１１４に出力し、信号処理部１１１に、光バースト信号に使用する第２の波長を通知する。さらに、フロー・テーブル処理部１１３は、開始信号で通知された光ポートに、制御パケット処理部１１４が生成する制御パケットが出力される様に光ＳＷ部１１２を制御し、当該光ポートに、信号処理部１１１が生成する光バースト信号が出力される様に光ＳＷ部１１２を制御する。
【００２９】
制御パケット処理部１１４は、開始信号で通知された、光バースト信号が使用する第２の波長を示す情報を含む制御パケットを生成し、生成した制御パケットを、開始信号で指定された第１の波長の光信号に変換して光ＳＷ部１１２に出力する。なお、光ＳＷ部１１２への出力は、フロー・テーブル処理部１１３が制御パケットを目的とする光ポートに出力するための設定を光ＳＷ部１１２に行った後に行う。また、光バースト信号処理部１１１は、受信した１つ以上のＩＰパケットを、フロー・テーブル処理部１１３から通知された第２の波長の光バースト信号に変換し、制御パケットの送信から所定の期間が経過した後、光ＳＷ部１１２に送信する。
【００３０】
図４は、ＣＮ１２の構成を示すブロック図である。フロー・テーブル処理部１２３は、制御装置４から設定信号を受信すると、当該設定信号で指定された入力ポート、出力ポート及び第１の波長の関係をフロー・テーブルに追加し、追加した情報に従い光ＳＷ部１２２の入力ポートと出力ポートの間の第１の波長の接続を行う。また、光ＳＷ部１２２は、入力ポートで第１の波長の制御パケットを受信すると、指定された光ポートから出力すると同時に、制御パケット処理部１２１にも出力する。制御パケット処理部１２１は、制御パケットの入力ポートと、出力ポートとの間で制御パケットが示す第２の波長の接続を行い、これにより光バースト信号の転送を行う。
【００３１】
なお、上記実施形態においては、制御装置４が制御パケットに使用する第１の波長を決定していた。しかしながら、第１の波長については、システムで予め決めておき、個々の処理において通知しない構成とすることができる。また、上記実施形態においては、制御装置４は、設定信号に第２の波長を含めず、よって、各ノード装置は、制御パケットを解析して第２の波長を判定していた。しかしながら、設定信号に第２の波長を含め、各ノード装置においては、設定信号に基づき第２の波長の接続を行う構成とすることもできる。この場合、ＯＢＳネットワークの各ノード装置は、制御パケットを解析する必要はなくなる。しかし、この場合においても、従来の光バースト交換ネットワークとの相互接続のため、宛先情報及び第２の波長を示す制御パケットを、光バースト信号に先立ち、同じ経路で転送する必要がある。さらに、上記実施形態においては、ＯＢＳネットワーク１及び２内のノード装置も、制御装置４からの設定解放信号を待って、第１の波長や第２の波長の接続を解放していた。しかしながら、ＯＢＳネットワーク１及び２内のノード装置については、制御装置４からの設定解放信号を待たず、制御パケットや光バースト信号の転送を行うと、直ちに第１の波長や第２の波長の接続を解放する構成とすることもできる。さらに、上記実施形態は、ＯＢＳネットワーク１及び２をＷＳＯＮ３が接続する構成であった。しかしながら、ＯＢＳネットワーク１や２内のみのデータ転送においても本発明を適用することができる。また、上記実施形態においては、光交換方式として、光バースト交換により説明を行ったが、本発明は、光フロー交換にも適用可能である。つまり、光交換ネットワークは、光バースト交換と光フロー交換を含むものである。
【図１】
0005827175.tif 000002
【図２】
0005827175.tif 000003
【図３】
0005827175.tif 000004
【図４】
0005827175.tif 000005